(57)【要約】【課題】リフレッシュレートが異なる２つのディスプレイを備える携帯端末において、コンテンツの視認性をなるべく低下させないようにした携帯端末を提供する。【解決手段】携帯端末は、第１ディスプレイと当該第１ディスプレイよりリフレッシュレートが低い第２ディスプレイとを備え、複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる。【選択図】図２
2013205600.tif 000002
【特許請求の範囲】
【請求項１】
第１ディスプレイと、
前記第１ディスプレイよりリフレッシュレートが低い第２ディスプレイと、
複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる表示制御処理を行う表示制御部とを備える
ことを特徴とする携帯端末。
【請求項２】
前記携帯端末は、更に、
複数のアプリケーションプログラムそれぞれについて、当該アプリケーションプログラムが行うコンテンツの表示処理における画面更新頻度を示す頻度情報を記憶する記憶部を備え、
前記複数のコンテンツそれぞれの表示処理における画面更新頻度は、当該コンテンツの表示処理を行うアプリケーションプログラムについての前記頻度情報が示す画面更新頻度である
ことを特徴とする請求項１記載の携帯端末。
【請求項３】
前記複数のコンテンツは、異なる２つのアプリケーションプログラムの表示処理により表示されることとなる２つのコンテンツであり、
前記表示制御部は、
前記２つのアプリケーションプログラムのうち、前記頻度情報が示す画面更新頻度がより高いアプリケーションプログラムが行う表示処理により表示されることとなるコンテンツを前記第１ディスプレイに表示させ、前記頻度情報が示す画面更新頻度がより低いアプリケーションプログラムが行う表示処理により表示されることとなるコンテンツを前記第２ディスプレイに表示させるように、前記表示制御処理を行う
ことを特徴とする請求項２記載の携帯端末。
【請求項４】
前記第１ディスプレイは、ＬＣＤ（Liquid Crystal Display）であり、
前記第２ディスプレイは、電気泳動方式の電子ペーパーである
ことを特徴とする請求項３記載の携帯端末。
【請求項５】
前記携帯端末は、更に加速度センサを備え、
前記表示制御部は、前記加速度センサが検出した加速度により特定される自端末の向きと前記複数のコンテンツそれぞれの天地とを合わせるように、前記表示制御処理を行う
ことを特徴とする請求項２記載の携帯端末。
【請求項６】
前記携帯端末は、更に
通信部と、
アプリケーションプログラムが取得された場合に、取得されたアプリケーションプログラムに付随して取得された当該アプリケーションを特定するための特定情報に基づいて特定される当該アプリケーションプログラムについての前記頻度情報を、外部装置から前記通信部を介して取得し、取得した当該頻度情報を前記記憶部に記憶させる取得部とを備える
ことを特徴とする請求項２記載の携帯端末。
【請求項７】
第１ディスプレイと当該第１ディスプレイよりリフレッシュレートが低い第２ディスプレイとを備える携帯端末における表示制御方法であって、
複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる表示制御処理を行う表示制御ステップを含む
ことを特徴とする表示制御方法。
【請求項８】
第１ディスプレイと当該第１ディスプレイよりリフレッシュレートが低い第２ディスプレイとを備える携帯端末におけるプロセッサに表示制御処理を行わせるためのプログラムであって、
前記表示制御処理は、
複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる表示制御処理を行う表示制御ステップを含む
ことを特徴とするプログラム。
【発明の詳細な説明】
【技術分野】
【０００１】
本発明は、複数のディスプレイを備える携帯電話機等の携帯端末に関し、特に、複数のコンテンツの表示制御技術に関する。
【背景技術】
【０００２】
複数の同一種類のディスプレイ（例えば、ＬＣＤ（Liquid Crystal Display）ディスプレイ）を備え、ユーザ操作や各種センサからの検出値に応じて、各ＬＣＤディスプレイの表示制御を行う携帯端末が知られている（例えば、特許文献１）。
特許文献１に係る携帯端末（電子ブックリーダー）は、２つのディスプレイを備える折り畳み式の携帯端末であり、紙製の本においてページをめくろうとすると、本が閉じられた状態になる点に着目し、この動作を加速度センサにより検出して、次ページの表示を行うようにしたものである。
【０００３】
ところで、ＬＣＤディスプレイ以外にもさまざまな種類のディスプレイが存在し、携帯端末の各ディスプレイを異なる種類のディスプレイで構成することも考えられる。例えば、電気泳動方式の電子ペーパーディスプレイは、ＬＣＤディスプレイと比較し消費電力が少ないため、例えば、２つのディスプレイのうちの１つを電子ペーパーディスプレイで構成することで、携帯端末のバッテリでの駆動時間を延ばすことができる。
【先行技術文献】
【特許文献】
【０００４】
【特許文献１】特開２０１０−１３４０３９号公報
【発明の概要】
【発明が解決しようとする課題】
【０００５】
しかしながら、上述した電子ペーパーディスプレイのようなリフレッシュレートが比較的低いディスプレイに、画面更新頻度が高い動画等のコンテンツを表示させてしまうと、画面のちらつきが多くなり、視認性が悪くなるという問題がある。
そこで、リフレッシュレートが異なる２つのディスプレイを備える携帯端末において、コンテンツの視認性をなるべく低下させないようにした携帯端末を提供することを目的とする。
【課題を解決するための手段】
【０００６】
上記課題を解決するために、本発明に係る携帯端末は、第１ディスプレイと、前記第１ディスプレイよりリフレッシュレートが低い第２ディスプレイと、複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる表示制御処理を行う表示制御部とを備えることを特徴とする。
【発明の効果】
【０００７】
上記構成を備える本発明に係る携帯端末によれば、リフレッシュレートが異なる２つのディスプレイを備える携帯端末において、コンテンツの視認性をなるべく低下させないようできる。
【図面の簡単な説明】
【０００８】
【図１】実施の形態に係る携帯電話機１００の閉状態、開状態及び全開状態の外観を示す図
【図２】携帯電話機１００の向きが標準方向である場合の表示例を示す図
【図３】携帯電話の向きが標準方向から１８０°回転した場合の表示例を示す図
【図４】携帯電話の向きが図３に示す状態から右回りに９０°回転した場合及び更に１８０°回転した場合の表示例を示す図
【図５】携帯電話の向きが標準方向から左回りに９０°回転した場合の表示例を示す図
【図６】携帯電話機１００の主要部の機能構成を示すブロック図
【図７】更新頻度テーブル１０のデータ構成及び内容例を示す図
【図８】携帯電話機１００の制御処理を示すフローチャート（図９へ続く）
【図９】携帯電話機１００の制御処理を示すフローチャート（図８から続き、図８へ戻る）
【発明を実施するための形態】
【０００９】
以下、本発明に係る携帯端末の一実施形態としての携帯電話機について説明する。
≪実施の形態≫
＜１．概要＞
実施の形態に係る携帯電話機は、第１筐体に配置された第１ディスプレイ（ＬＣＤディスプレイ）と、第２筐体に配置された第２ディスプレイ（電気泳動方式の電子ペーパーディスプレイ）とを備える端末である。なお、ＬＣＤディスプレイである第１ディスプレイは、電気泳動方式の電子ペーパーディスプレイである第２ディスプレイよりもリフレッシュレートが高いものである。
【００１０】
この携帯電話機は、更に、加速度センサを備え、検出された加速度により特定される筐体の向きと各コンテンツの天地とが合うように、各コンテンツを表示する。この携帯電話機は、特に、コンテンツの表示処理における画面更新頻度が異なる２つのアプリケーションプログラムが実行されている場合に、上記画面更新頻度が高い方のアプリケーションプログラムのコンテンツを第１ディスプレイに、他方のアプリケーションプログラムのコンテンツを第２ディスプレイに表示する。
【００１１】
従って、この携帯電話機によれば、ユーザがこの携帯電話機を保持する向きと各コンテンツの天地とが合うように表示しつつ、表示処理における画面更新頻度が比較的高い動画等のコンテンツのちらつきを抑え、見易く表示することができる。
なお、ここでのコンテンツとは、人間が視覚によって認識可能な情報（例えば、文字、画像、動画及びこれらを組み合わせたもの）であり、内容面においてひとまとまりを構成するものをいう。例えば、ある映画の動画や、文字と画像とからなるＷｅｂページは、内容面においてひとまとまりを構成するため、それぞれ１つのコンテンツである。
【００１２】
＜２．装置構成＞
まず、実施の形態に係る携帯電話機１００の装置構成について説明する。
図１（ａ）は、携帯電話機１００の閉状態の外観を示す斜視図であり、図１（ｂ）は、携帯電話機１００の開状態の外観を示す斜視図であり、図１（ｃ）は、携帯電話機１００の全開状態の外観を示す斜視図である。
【００１３】
携帯電話機１００は、図１（ａ）〜（ｃ）に示されるように、第１筐体１と第２筐体２とが相対的に移動可能なスライド式の端末であり、第１筐体１、第２筐体２及び第１筐体１と第２筐体２とを接続するアーム３を備えている。
第１筐体１には、レシーバ４、マイク５、第１ディスプレイ１１０及び加速度センサ１４０が備えられ、磁石６が内蔵されており、第２筐体２には、第２ディスプレイ１２０が備えられ、磁気センサ７が内蔵されている。
【００１４】
アーム３は、その基端側が第２筐体２に回転自在に軸支されており、先端側が第１筐体１をスライド移動並びに回転自在に支持している。従って、この携帯電話機１００は、第１筐体１と第２筐体２とが単なる相対回動するだけでなく、閉状態と開状態と全開状態との間で変更することが可能である。
携帯電話機１００は、図１（ａ）に示すように、第２筐体２に第１筐体１が重ね合わさり、第２ディスプレイ１２０が視認できない閉状態から、アーム３により、第１筐体１が第２筐体２の主表面に沿って移動することで、図１（ｂ）に示す開状態になり、図１（ｃ）に示すように、第１筐体１の主表面と第２筐体２の主表面とが略同一平面上に揃い、第１ディスプレイ１１０及び第２ディスプレイ１２０が視認可能な全開状態になる。なお、ここでは、各筐体においてディスプレイが存在する側の表面を主表面と表現している。
【００１５】
携帯電話機１００は、磁気センサ７による磁石６の磁力の検出の有無により、閉状態であるか否かを判定することができる。即ち、携帯電話機１００は、磁石６が発生する磁力を磁気センサ７が検出した場合に、閉状態であると判定し、磁気センサ７が検出しない場合に、閉状態でない、つまり開状態又は全開状態であると判定する。
＜３．表示例＞
次に、図２〜５を用いて、携帯電話機１００の表示例を説明する。
【００１６】
以下では、図２（ａ）や図２（ｂ）に示すように、第１筐体１が上部、第２筐体２が下部に配置される携帯電話機１００の向きを「標準方向」という。
図２（ａ）は、携帯電話機１００が標準方向である場合において、特に、Ｗｅｂブラウザ（アプリケーションプログラム）が行うコンテンツの表示処理により、動画投稿サイトのキーワード入力欄に「パーティー」と入力して動画を検索した結果を示す画像（コンテンツ）が各ディスプレイに表示された例を示している。
【００１７】
図２（ａ）の状態から、ユーザが、第２ディスプレイ１２０に表示されている動画の検索結果を示すサムネイル画像のうち、サムネイル画像Ｐ１を選択したものとする。
すると、図２（ｂ）に示すように、携帯電話機１００は、動画を再生するためのアプリケーションプログラム（以下、「Ｗｅｂコンテンツ用プレイヤー」という）の実行を開始し、このＷｅｂコンテンツ用プレイヤーが行うコンテンツの表示処理により、サムネイル画像Ｐ１に対応する動画を第１ディスプレイ１１０に表示する。また、図２（ｂ）に示すように、携帯電話機１００は、図２（ａ）において各ディスプレイに表示されていた動画投稿サイトの画像（コンテンツ）を、第２ディスプレイ１２０に表示する。
【００１８】
ここで、第１ディスプレイ１１０に表示されている動画と、第２ディスプレイ１２０に表示されている動画投稿サイトの画像は、それぞれ１つのコンテンツである。また、動画をなめらかに表示するため、Ｗｅｂコンテンツ用プレイヤーが行うコンテンツの表示処理における画面更新頻度は、Ｗｅｂブラウザが行うコンテンツの表示処理における画面更新頻度よりも高く設定されているものとする。
【００１９】
携帯電話機１００が、図２（ｂ）に示すように、Ｗｅｂコンテンツ用プレイヤーが行う表示処理により表示されることとなるコンテンツ（この例では動画）を第１ディスプレイ１１０に表示させるのは、よりリフレッシュレートの低い第２ディスプレイに表示させた場合、画面のちらつきが発生して動画の視認性が悪くなってしまうためである。
また、図３（ａ）は、図２（ａ）と同様の動画投稿サイトの画像（コンテンツ）が各ディスプレイに表示された例を示している。なお、図２（ａ）と図３（ａ）とでは、各筐体（１、２）の相対位置が逆転している。
【００２０】
図２（ａ）の場合と同様に、図３（ａ）の状態から、ユーザが、第１ディスプレイ１１０に表示されている動画の検索結果を示すサムネイル画像のうち、サムネイル画像Ｐ１を選択したものとする。
すると、図３（ｂ）に示すように、携帯電話機１００は、実行を開始したＷｅｂコンテンツ用プレイヤーが行うコンテンツの表示処理により、サムネイル画像Ｐ１に対応する動画を第１ディスプレイ１１０に表示する。また、図３（ｂ）に示すように、携帯電話機１００は、図３（ａ）において各ディスプレイに表示されていた動画投稿サイトの画像（コンテンツ）を、第２ディスプレイ１２０に表示する。
【００２１】
図２（ｂ）と図３（ｂ）とを比較すると、各ディスプレイに表示されている２つのコンテンツ（動画投稿サイトの画像及び動画）の表示の相対位置が異なっていることが分かる。つまり、携帯電話機１００は、画面更新頻度がより高い方のアプリケーションプログラム（この例ではＷｅｂコンテンツ用プレイヤー）のコンテンツを第１ディスプレイ１１０に表示させることで、ちらつきを抑え、動画をユーザに見易く表示する。
【００２２】
続いて、図３（ｂ）の状態から、ユーザが、加速度センサ１４０のｚ軸と平行な軸を回転軸として、携帯電話機１００の向きを右回りに９０°回転させたとする（図４（ａ）参照）。なお、加速度センサ１４０は、図１（ａ）に示すｘｙｚ軸の加速度成分を検出する３軸加速度センサである。
すると、携帯電話機１００は、各ディスプレイに表示されているコンテンツを、図３（ｂ）に示す表示状態から右回りに９０°回転させて表示する。この携帯電話機１００を右回りに９０°回転させる前後（図３（ｂ）、図４（ａ））において、携帯電話機１００は、各コンテンツの表示先となるディスプレイを変更しない。
【００２３】
続いて、図４（ａ）に示す状態から、ユーザが、加速度センサ１４０のｚ軸と平行な軸を回転軸として、携帯電話機１００の向きを１８０°回転させたとする（図４（ｂ）参照）。
すると、携帯電話機１００は、加速度センサ１４０が検出する加速度の変化に基づいて特定した自機の向きと各コンテンツの天地とが合うように、各コンテンツを各ディスプレイに表示させる。即ち、携帯電話機１００は、第１ディスプレイ１１０に表示されている動画及び第２ディスプレイ１２０に表示されている動画投稿サイトの画像を、図４（ａ）に示す表示状態から１８０°回転させて表示する。つまり、携帯電話機１００を右回りに９０°回転させる場合（図３（ｂ）、図４（ａ））と同様に、携帯電話機１００を１８０°回転させる前後（図４（ａ）、図４（ｂ））において、携帯電話機１００は、各コンテンツの表示先となるディスプレイを変更しない。
【００２４】
この結果、図４（ａ）では、動画投稿サイトの画像の左側に表示されていた動画が、図４（ｂ）では、動画投稿サイトの画像の右側に表示されることになり、ユーザにとっては、各コンテンツの表示の相対位置関係が変化したように感じられる。しかしながら、もしも、各コンテンツの表示の相対位置関係を１８０°回転の前後でも維持しようとすると、１８０°回転後においては、よりリフレッシュレートの低い第２ディスプレイ１２０に動画を表示させてしまうことになる。従って、画面のちらつきが発生して動画の視認性が悪くなってしまう。一方、この携帯電話機１００は、１８０°回転の前後において、動画を第１ディスプレイ１１０に表示し続けるので、ちらつきを抑え、ユーザに見易く表示できる。
【００２５】
なお、図５に示す状態において、ユーザがサムネイル画像Ｐ１を選択した場合、携帯電話機１００は、図４（ａ）に示すように、各ディスプレイへの表示を行う。即ち、携帯電話機１００は、Ｗｅｂコンテンツ用プレイヤーが行うコンテンツの表示処理により、サムネイル画像Ｐ１に対応する動画を第１ディスプレイ１１０に、図５において各ディスプレイに表示されていた動画投稿サイトの画像（コンテンツ）を、第２ディスプレイ１２０に表示する。
【００２６】
＜４．機能構成＞
図６は、携帯電話機１００の主要部の機能構成を示すブロック図である。
携帯電話機１００は、同図に示すように、磁石６と、磁気センサ７と、第１ディスプレイ１１０と、コントローラ１１３と、第２ディスプレイ１２０と、コントローラ１２３と、通信部１３０と、加速度センサ１４０と、記憶部１５０と、制御部１６０とを備える。
【００２７】
なお、携帯電話機１００は、プロセッサ及びメモリを含んで構成されており、制御部１６０の機能は、メモリに記憶されているプログラムをプロセッサが実行することにより実現される。
ここで、磁気センサ７は、磁石６が発生する磁力を検出する機能を有し、当該磁力を検出しているかを示す信号を、制御部１６０に出力するセンサである。
【００２８】
なお、磁石６による磁力を、閉状態において、磁気センサ７が検出し、開状態及び全開状態において、磁気センサ７が検出しないように、磁石６及び磁気センサ７の配置と、磁石６の磁力の強度が調整されている。
また、第１ディスプレイ１１０は、ＬＣＤ１１１及びタッチパッド１１２を含み、第２ディスプレイ１２０は、電子ペーパー１２１及びタッチパッド１２２を含む。
【００２９】
各タッチパッド（１１２、１２２）は、静電容量方式のタッチセンサであり、タッチパッド１１２は、ＬＣＤ１１１に重畳して設けられ、タッチパッド１２２は、電子ペーパー１２１に重畳して設けられている。なお、各タッチパッドは、透明部材を用いて構成されており、ＬＣＤ１１１、電子ペーパー１２１に表示された画像が見えるように構成されている。
【００３０】
各コントローラ（１１３、１２３）は、対応するディスプレイのタッチパッドに対するユーザの指等の接触を検出し、検出している間、単位時間（例えば、２５ｍｓ）毎に、そのタッチパッドにおける接触位置の座標値（ｘ，ｙ）を制御部１６０に出力するＩＣ（Integrated Circuit）である。なお、第１ディスプレイ１１０とコントローラ１１３とが対応し、第２ディスプレイ１２０とコントローラ１２３とが対応する。
【００３１】
また、通信部１３０は、アンテナを介して基地局との間で電波の送受信を行う回路であり、基地局を介して、外部装置とデータの送受信を行う機能を有する。
ここで、外部装置は、携帯電話機１００において実行可能な複数のアプリケーションプログラムと、このアプリケーションプログラムの名称、バージョン情報、製作者といったこのアプリケーションプログラムを特定するための情報（以下、「特定情報」という）と、画面更新頻度情報（後述する）とを対応付けて記憶している装置である。外部装置は、携帯電話機１００からのアプリケーションプログラムのダウンロード要求に応じて、その要求に係るアプリケーションプログラムと、対応する特定情報及び画面更新頻度情報とを携帯電話機１００に送信する。なお、外部装置は、例えば、携帯電話機１００のメーカにより管理されており、新たなアプリケーションプログラムがダウンロード可能に公開される際に、このアプリケーションプログラムと特定情報と画面更新頻度情報とが対応付けて記憶されることになる。また、外部装置は、１台のサーバ等の機器により構成される場合に限らず、複数台の機器から構成されていてもよい。
【００３２】
加速度センサ１４０は、携帯電話機１００に生じる加速度を検出する３軸加速度センサであり、図１（ａ）に示すｘｙｚ軸の各軸成分を示す信号を制御部１６０に送出する。
また、記憶部１５０は、更新頻度テーブル１０、アプリケーション群２０、状態情報３０、向き情報４０、第１アプリ情報Ａ１、第２アプリ情報Ａ２、第１画面更新頻度情報Ｆ１及び第２画面更新頻度情報Ｆ２を記憶するためのメモリ領域である。
【００３３】
ここで、アプリケーション群２０とは、携帯電話機１００が実行可能な、Ｗｅｂブラウザ、Ｗｅｂコンテンツ用プレイヤー、動画プレイヤー、カメラアプリケーション、メール、ブックリーダー等の各種アプリケーションプログラムである。この例では、いずれのアプリケーションもコンテンツの表示処理を行うものであるとする。
また、更新頻度テーブル１０は、アプリケーション群２０として記憶されている携帯電話機１００が実行可能なアプリケーションプログラム毎に、そのアプリケーションプログラムの特定情報と、そのアプリケーションプログラムが行う表示処理における画面更新頻度を示す画面更新頻度情報とを登録したテーブルである（図７参照）。なお、更新頻度テーブル１０のデータ構造や内容例については後述する。
【００３４】
また、状態情報３０は、携帯電話機１００の現在の状態が閉状態であるか否かを示す情報である。また、向き情報４０は、携帯電話機１００の現在の向きが、図２（ａ）に示す標準方向と、図３（ａ）に示す方向と、図４（ａ）に示す方向と、図４（ｂ）に示す方向とのいずれであるかを示す情報である。向き情報４０は、例えば、「１」の場合には標準方向を、「２」の場合には図３（ａ）に示す方向を、「３」の場合には図４（ａ）に示す方向を、「４」の場合には図４（ｂ）に示す方向をそれぞれ示すものとする。
【００３５】
また、第１アプリ情報Ａ１、第２アプリ情報Ａ２、第１画面更新頻度情報Ｆ１及び第２画面更新頻度情報Ｆ２は、制御部１６０が後述する制御処理（図８、９参照）を実行する際に必要なデータである。
また、制御部１６０は、携帯電話機１００の各機能部を制御する機能を有する他、特に、加速度センサ１４０が検出した加速度と、実行中のアプリケーションプログラムが行うコンテンツの表示処理における画面更新頻度とに基づいて、コンテンツの表示制御を行う機能を有する。制御部１６０は、状態検出部１６１、向き検出部１６２、取得部１６３、アプリケーション実行部１６４及び表示制御部１６５を含む。
【００３６】
ここで、状態検出部１６１は、磁気センサ７からの信号に基づいて、携帯電話機１００の状態が閉状態であるか否かを検出する機能を有する。即ち、状態検出部１６１は、磁気センサ７からの信号が、磁石６による磁力を検出していることを示す場合に、閉状態であることを検出し、磁気センサ７からの信号が、磁石６による磁力を検出してないことを示す場合に、閉状態でないこと（つまり、開状態又は全開状態であること）を検出する。
【００３７】
向き検出部１６２は、加速度センサ１４０が検出した加速度により携帯電話機１００の向きを検出する機能を有する。携帯電話機１００の向きは、例えば、以下方法で特定することができる。即ち、図２（ａ）、図３（ａ）、図４（ａ）及び図４（ｂ）に示す携帯電話機１００のそれぞれの向きにおいて加速度センサ１４０から出力されるｘｙｚ軸の各軸成分に基づいて、その向きであると特定するための閾値範囲を決定し、予め記憶しておく。そして、実際に加速度センサ１４０から出力された信号が示すｘｙｚ軸の各軸成分が含まれる閾値範囲に対応する向きを携帯電話機１００の向きと特定する。なお、この特定方法に限らず、従来から行われている様々な方法で携帯電話機１００の向きを特定してもよく、例えば、加速度センサ１４０から出力されたｘｙｚ軸成分のうち、２つの軸成分がなす角θを算出することで、携帯電話機１００の向きを特定してもよい。
【００３８】
また、取得部１６３は、ユーザ操作に応じて、通信部１３０を介してアプリケーションプログラムのダウンロード要求を送信することで、外部装置からアプリケーションプログラム、特定情報及び画面更新頻度情報を受信する機能を有する。取得部１６３は、受信したアプリケーションプログラムを記憶部１５０（アプリケーション群２０）に登録し、受信した特定情報及び画面更新頻度情報を記憶部１５０の更新頻度テーブル１０に登録する。
【００３９】
アプリケーション実行部１６４は、ユーザ操作に応じた処理を実行する機能を有し、例えば、複数のアイコンを含むメニュー画像が表示されている場合に、ユーザが選択したアイコンに対応するアプリケーションプログラムを、記憶部１５０（アプリケーション群２０）から読み出して実行する機能を有する。なお、メニュー画像も１つのコンテンツであり、メニュー画像の表示処理を行うメニューアプリケーションも、記憶部１５０のアプリケーション群２０に含まれる１つのアプリケーションプログラムである。
【００４０】
また、表示制御部１６５は、２つのアプリケーションプログラムが実行中である場合に、コンテンツの表示処理における画面更新頻度がより高いアプリケーションプログラムのコンテンツを第１ディスプレイ１１０に、他方のアプリケーションプログラムのコンテンツを第２ディスプレイ１２０に表示させる機能を有する。この際、表示制御部１６５は、向き検出部１６２が検出した携帯電話機１００の向きとコンテンツの天地とを合わせて表示する。
【００４１】
＜５．データ＞
以下では、携帯電話機１００が使用するデータについて、図７を用いて説明する。
図７は、更新頻度テーブル１０のデータ構成及び内容例を示す図である。
更新頻度テーブル１０は、同図に示すように、記憶部１５０に記憶されている携帯電話機１００が実行可能な各種アプリケーション（アプリケーション群２０）それぞれについて、ＩＤ１１と、名称１２と、バージョン情報１３と、製作者１４と、画面更新頻度１５とを対応付けて構成される情報である。
【００４２】
以下では、対応するＩＤ、名称、バージョン情報、製作者及び画面更新頻度からなるデータを「レコード」ともいう。
なお、更新頻度テーブル１０の各レコードのうち、携帯電話機１００の運用開始時から記憶している基本的なアプリケーションプログラムについてのレコードは、携帯電話機１００のメーカ等により予め登録されており、その後、外部装置から取得したアプリケーションプログラムについてのレコードは、取得部１６３により登録される。
【００４３】
ここで、ＩＤ１１は、アプリケーションプログラムの識別情報であり、この例では、初期値「１」から１ずつ増加させた数字を用いている。なお、取得部１６３が、外部装置から取得したアプリケーションプログラムについてのＩＤを更新頻度テーブル１０に登録する際には、登録済みの最大のＩＤに１を加えた数字を用いる。
また、名称１２は、対応するＩＤが示すアプリケーションプログラムの名称を示す情報であり、バージョン情報１３は、このアプリケーションプログラムのバージョンを示す情報であり、製作者１４は、このアプリケーションプログラムを開発した企業等の名称を示す情報である。また、画面更新頻度１５は、このアプリケーションプログラムが行うコンテンツの表示処理における画面更新頻度を示す情報である。
【００４４】
同図は、ＩＤ１１が「１」であるアプリケーションプログラムの名称１２は「Ｗｅｂブラウザ」であり、バージョン情報１３は「８．０．３０１．１２」であり、製作者１４は「○×ソフト」であり、画面更新頻度１５は「１５」（Ｈｚ）であることを示している。
また、同図では、ＩＤ１１が「１」であるアプリケーションプログラム（Ｗｅｂブラウザ）より、ＩＤ１１が「２」であるアプリケーションプログラム（Ｗｅｂコンテンツ用プレイヤー）の画面更新頻度１５（「６０」Ｈｚ）のほうが高いことを示している。
【００４５】
＜６．動作＞
次に、携帯電話機１００の動作について、図８及び図９を用いて説明する。
図８及び図９は、携帯電話機１００の制御処理を示すフローチャートである。
同図に示す制御処理は、携帯電話機１００の電源がＯＮになると開始され、特に図示していないが、電源がＯＦＦになると終了される。
【００４６】
また、同図に示す制御処理とは独立した処理として、磁気センサ７から出力された信号に基づいて、携帯電話機１００の現在の状態を示すように、記憶部１５０の状態情報３０を更新する処理が、状態検出部１６１により行われる。また、同図に示す制御処理とは独立した処理として、携帯電話機１００の現在の向きを示すように、記憶部１５０の向き情報４０を更新する処理が、向き検出部１６２により行われる。
【００４７】
まず、携帯電話機１００の電源がＯＮになると、制御部１６０のアプリケーション実行部１６４は、記憶部１５０（アプリケーション群２０）から複数のアイコンを含むメニュー画像の表示処理を行うメニューアプリケーションプログラムを読み出して実行を開始する。また、この際、アプリケーション実行部１６４は、第１及び第２アプリ情報（Ａ１、Ａ２）と、第１及び第２画面更新頻度情報（Ｆ１、Ｆ２）とを記憶部１５０に格納する（図８のステップＳ１）。具体的には、アプリケーション実行部１６４は、実行を開始したメニューアプリケーションプログラムのＩＤ（図７の例では「５」）及び画面更新頻度（この図７の例では「１５」）を更新頻度テーブル１０から取得する。そして、アプリケーション実行部１６４は、取得したＩＤを記憶部１５０の第１アプリ情報Ａ１として、取得した画面更新頻度を第１画面更新頻度情報Ｆ１として、記憶部１５０に格納する。また、アプリケーション実行部１６４は、初期値「０」を第２アプリ情報Ａ２及び第２画面更新頻度情報Ｆ２として記憶部１５０に格納する。
【００４８】
続いて、表示制御部１６５は、記憶部１５０の状態情報３０が示す携帯電話機１００の現在の状態が閉状態であるか否かを判定する（ステップＳ２）。表示制御部１６５は、閉状態であると判定した場合に（ステップＳ２：ＹＥＳ）、記憶部１５０の向き情報４０が示す携帯電話機１００の現在の向きで、実行中のアプリケーションプログラムが表示しようとするコンテンツを第１ディスプレイ１１０に表示させる（ステップＳ３）。
【００４９】
続いて、アプリケーション実行部１６４は、記憶部１５０の状態情報３０が示す携帯電話機１００の現在の状態若しくは記憶部１５０の向き情報４０が示す携帯電話機１００の現在の向きに変化があったか又はユーザ操作が行われたかを判定する（ステップＳ４）。アプリケーション実行部１６４は、携帯電話機１００の現在の状態及び向きに変化がなく、ユーザ操作が行われなかった場合には（ステップＳ４：ＮＯ）、再度ステップＳ４の処理を行う。
【００５０】
また、アプリケーション実行部１６４は、いずれかのコントローラ（１１３、１２３）から座標値が出力された場合にユーザ操作が行われたと判定し、特にその座標値からユーザ操作が、アプリケーションプログラムを起動させる操作、例えば、メニュー画像中のアイコンの選択操作であった場合（ステップＳ４：起動操作）、以下の処理を行う。即ち、アプリケーション実行部１６４は、記憶部１５０（アプリケーション群２０）から選択されたアイコンに対応するアプリケーションプログラムを読み出して実行を開始し、記憶部１５０の第１アプリ情報Ａ１及び第１画面更新頻度情報Ｆ１を更新する（ステップＳ５）。具体的には、アプリケーション実行部１６４は、実行を開始したアプリケーションプログラムのＩＤ及び画面更新頻度を更新頻度テーブル１０から取得し、取得したＩＤで第１アプリ情報Ａ１を、取得した画面更新頻度で第１画面更新頻度情報Ｆ１を更新する。ステップＳ５の処理を完了すると、制御部１６０は、再びステップＳ２から処理を行う。
【００５１】
また、ステップＳ４で、携帯電話機１００の現在の状態若しくは向きに変化があった場合、又は行われたユーザ操作が、アプリケーションプログラムを起動させる操作以外であった場合（ステップＳ４：変化，他操作）、制御部１６０は再びステップＳ２から処理を行う。
また、表示制御部１６５は、ステップＳ２において閉状態でないと判定した場合に（ステップＳ２：ＮＯ）、記憶部１５０の向き情報４０が示す携帯電話機１００の現在の向きで、実行中のアプリケーションプログラムが表示しようとするコンテンツを第１及び第２ディスプレイ（１１０、１２０）に表示させる（ステップＳ６）。例えば、携帯電話機１００の向きが図３（ａ）に示す向きである場合において、メニューアプリケーションプログラムが実行中であるときには、メニュー画像の天方向（上部）が第２筐体２の辺２Ａ側になるように、そのメニュー画像を各ディスプレイ（１１０、１２０）に表示する。
【００５２】
続いて、アプリケーション実行部１６４は、ステップＳ４の処理と同様に、携帯電話機１００の現在の状態若しくは向きに変化があったか又はユーザ操作が行われたかを判定する（ステップＳ７）。アプリケーション実行部１６４は、携帯電話機１００の現在の状態及び向きに変化がなく、ユーザ操作が行われなかった場合には（ステップＳ７：ＮＯ）、再度ステップＳ７の処理を行う。
【００５３】
また、アプリケーション実行部１６４は、携帯電話機１００の現在の状態若しくは向きに変化があった場合、又は行われたユーザ操作が、アプリケーションプログラムを起動させる操作以外であった場合（ステップＳ７：変化，他操作）、制御部１６０は再びステップＳ２から処理を行う。
また、アプリケーション実行部１６４はアプリケーションプログラムを起動させる操作が行われた場合（ステップＳ７：起動操作）、記憶部１５０（アプリケーション群２０）からそのアプリケーションプログラムを読み出して実行を開始する。そして、アプリケーション実行部１６４は、記憶部１５０の第２アプリ情報Ａ２及び第２画面更新頻度情報Ｆ２を更新する（ステップＳ８）。具体的には、アプリケーション実行部１６４は、実行を開始したアプリケーションプログラムのＩＤ及び画面更新頻度を更新頻度テーブル１０から取得し、取得したＩＤで第２アプリ情報Ａ２を、取得した画面更新頻度で第２画面更新頻度情報Ｆ２を更新する。
【００５４】
ステップＳ８の処理を完了すると、表示制御部１６５は、記憶部１５０から第１及び第２画面更新頻度情報（Ｆ１、Ｆ２）を読み出す。そして、表示制御部１６５は、第１画面更新頻度情報Ｆ１が示す画面更新頻度より第２画面更新頻度情報Ｆ２が示す画面更新頻度のほうが高いかを判定する（図９のステップＳ９）。
表示制御部１６５は、第２画面更新頻度情報Ｆ２が示す画面更新頻度が、第１画面更新頻度情報Ｆ１が示す画面更新頻度以下である場合（ステップＳ９：ＮＯ）、記憶部１５０の向き情報４０が示す携帯電話機１００の現在の向きで、以下のように表示を制御する。即ち、表示制御部１６５は、第１アプリ情報Ａ１が示すアプリケーションプログラムのコンテンツを第１ディスプレイ１１０に、第２アプリ情報Ａ２が示すアプリケーションプログラムのコンテンツを第２ディスプレイ１２０に表示する（ステップＳ１０）。
【００５５】
一方、表示制御部１６５は、第２画面更新頻度情報Ｆ２が示す画面更新頻度のほうが高い場合（ステップＳ９：ＹＥＳ）、記憶部１５０の向き情報４０が示す携帯電話機１００の現在の向きで、以下のように表示を制御する。即ち、表示制御部１６５は、第２アプリ情報Ａ２が示すアプリケーションプログラムのコンテンツを第１ディスプレイ１１０に、第１アプリ情報Ａ１が示すアプリケーションプログラムのコンテンツを第２ディスプレイ１２０に表示する（ステップＳ１１）。
【００５６】
例えば、図８のステップＳ７で行われたアプリケーションプログラムを起動する操作の結果、動画プレイヤーの実行が開始された場合、第２画面更新頻度情報Ｆ２が示す画面更新頻度は「６０」である。また、上述のように、第１画面更新頻度情報Ｆ１には、メニューアプリケーションプログラムの画面更新頻度が設定されているので、第１画面更新頻度情報Ｆ１が示す画面更新頻度は「１５」である。従って、この例では、動画プレイヤーのコンテンツが第１ディスプレイ１１０に表示され、メニューアプリケーションのコンテンツ（メニュー画像）が第２ディスプレイ１２０に表示されることになる（ステップＳ１１）。従って、動画プレイヤーが再生する動画のちらつきを抑え、ユーザに見易く表示できる。
【００５７】
ステップＳ１０又はＳ１１の処理が完了すると、アプリケーション実行部１６４は、携帯電話機１００の現在の状態若しくは向きに変化があったか又はユーザ操作が行われたかを判定する（ステップＳ１２）。アプリケーション実行部１６４は、携帯電話機１００の現在の状態及び向きに変化がなく、ユーザ操作が行われなかった場合には（ステップＳ１２：ＮＯ）、再度ステップＳ１２の処理を行う。
【００５８】
また、アプリケーション実行部１６４は、実行中のアプリケーションプログラムを終了させる操作が行われた場合（ステップＳ１２：終了操作）、その終了操作に係るアプリケーションプログラムの実行を終了する。そしてアプリケーション実行部１６４は、終了したアプリケーションプログラムが、第１及び第２アプリ情報（Ａ１、Ａ２）が示すいずれのアプリケーションであるかにより、以下のように第１及び第２アプリ情報（Ａ１、Ａ２）、第１及び第２画面更新頻度情報（Ｆ１、Ｆ２）を更新する（ステップＳ１３〜Ｓ１５）。
【００５９】
即ち、アプリケーション実行部１６４は、第１アプリ情報Ａ１が示すアプリケーションプログラムが終了した場合（ステップＳ１３：Ａ１）、記憶部１５０の第１アプリ情報Ａ１を第２アプリ情報Ａ２で更新し、第１画面更新頻度情報Ｆ１を第２画面更新頻度情報Ｆ２で更新する。また、アプリケーション実行部１６４は、第２アプリ情報Ａ２及び第２画面更新頻度情報Ｆ２を「０」で初期化する（ステップＳ１４）。一方、アプリケーション実行部１６４は、第２アプリ情報Ａ２が示すアプリケーションプログラムが終了した場合（ステップＳ１３：Ａ２）、第２アプリ情報Ａ２及び第２画面更新頻度情報Ｆ２を「０」で初期化する（ステップＳ１５）。ステップＳ１４又はＳ１５の処理が完了すると、制御部１６０は、再び図８のステップＳ２から処理を行う。
【００６０】
また、アプリケーション実行部１６４は、ステップＳ１２において、携帯電話機１００の現在の状態若しくは向きに変化があった場合、又は行われたユーザ操作が、アプリケーションプログラムを終了させる操作以外であった場合（ステップＳ１２：変化，他操作）、制御部１６０は再びステップＳ９から処理を行う。
ここで、例えば、携帯電話機１００の向きが、図３（ａ）に示す向きで、上述の例のように、動画プレイヤーのコンテンツが第１ディスプレイ１１０に表示され、メニューアプリケーションのコンテンツ（メニュー画像）が第２ディスプレイ１２０に表示されているとする。この場合において、携帯電話機１００の向きが、図４（ａ）に示す向きに変化したとする（ステップＳ１２：変化，他操作）。すると、表示制御部１６５は、動画プレイヤーのコンテンツ及びメニュー画像の天方向（上部）がマイク５側になるように、引き続き、動画プレイヤーのコンテンツを第１ディスプレイ１１０に、メニュー画像を第２ディスプレイ１２０に表示する（ステップＳ９：ＹＥＳ、Ｓ１１）。このように、携帯電話機１００は、自機の向きと各コンテンツの天地が合うように表示を行った場合でも、引き続き動画プレイヤーのコンテンツが第１ディスプレイ１１０に表示されるので、ちらつきを抑えて、ユーザが見易いように表示できる。
【００６１】
≪補足≫
以上、本発明に係る携帯端末を、実施の形態に基づいて説明したが、以下のように変形することも可能であり、本発明は上述した実施の形態で示した通りの携帯電話機に限られないことは勿論である。
（１）実施の形態に係る携帯電話機１００は、第１ディスプレイ１１０がＬＣＤディスプレイであり、第２ディスプレイ１２０が電気泳動方式の電子ペーパーディスプレイである例を用いて説明した。しかしながら、２つのディスプレイはリフレッシュレートが異なればよく、例えば、第１ディスプレイ１１０が有機ＥＬ（Electro-Luminescence）等であってもよい。
【００６２】
また、実施の形態に係る携帯電話機１００の第１及び第２ディスプレイ（１１０、１２０）はそれぞれタッチパッドを含むものとして説明した。しかしながら、どちらか一方のディスプレイのみがタッチパッドを含むように携帯電話機１００を変形してもよいし、両方のディスプレイが共にタッチパッドを含まないようにし、かついわゆるテンキー等のキー群やボタン群を含む入力部を備えるように携帯電話機１００を変形してもよい。
【００６３】
（２）実施の形態に係る携帯電話機１００は、実行中の２つのアプリケーションプログラムが行うコンテンツの表示処理における画面更新頻度に応じて、異なるディスプレイに各コンテンツを表示させる例を説明した。
しかしながら、例えば、コンテンツの表示処理における画面更新頻度が同程度である複数のアプリケーションプログラムが表示しようとする複数のコンテンツを１つのディスプレイに表示させるようにしてもよい。この場合、例えば、１つのディスプレイの表示領域を論理的に分割して、複数のアプリケーションプログラムが表示しようとするコンテンツを表示させてもよいし、下に表示されているコンテンツが透過するように他のコンテンツを重ねて、複数のアプリケーションプログラムが表示しようとするコンテンツを表示させてもよい。
【００６４】
（３）実施の形態に係る携帯電話機１００は、アプリケーションプログラム毎に、そのアプリケーションプログラムが行うコンテンツの表示処理における画面更新頻度に応じて、そのコンテンツを第１及び第２ディスプレイ（１１０、１２０）のいずれかに表示されるものとして説明した。
しかしながら、１つのアプリケーションが行う表示処理により表示しようとする複数のコンテンツの画面更新頻度が異なる場合に、コンテンツ単位で第１及び第２ディスプレイ（１１０、１２０）のいずれかに表示するようにしてもよい。その場合、例えば、アプリケーションプログラムを実行するアプリケーション実行部から表示制御部にコンテンツ毎に画面更新頻度を通知することで実現してもよい。
【００６５】
また、実施の形態では、アプリケーションプログラムが行うコンテンツの表示処理における画面更新頻度は、「６０」Ｈｚ、「３０」Ｈｚ、「１５」Ｈｚのいずれかの値である例を用いて説明したが（図７に示す更新頻度テーブル１０参照）、これは一例であり、その他の値を用いてもよい。また、このような具体的な値を用いるのではなく、「高」、「低」といったレベルで画面更新頻度を表すようにしてもよい。
【００６６】
また、実施の形態では、アプリケーションプログラムが行うコンテンツの表示処理における画面更新頻度は、予め携帯電話機１００のメーカが、更新頻度テーブル１０又は外部装置に登録するものとして説明したが、これに限らない。例えば、携帯電話機１００のユーザが更新頻度テーブル１０に登録し又は登録済みの値を更新してもよい。また、携帯電話機１００が備えるフレームメモリ（不図示）の更新頻度を検出する構成を備えるように携帯電話機１００を変形し、検出した画面更新頻度を更新頻度テーブル１０に登録し、又は登録済みの値を検出した画面更新頻度で更新してもよい。
【００６７】
（４）実施の形態に係る携帯電話機１００は、加速度センサ１４０を用いて自機の向きを検出するものとして説明した。しかしながら、加速度センサに限らず、ジャイロセンサ（角速度センサ）を用いてもよいし、加速度センサ及びジャイロセンサ以外の携帯電話機１００の向きを検出できる機構を用いてもよい。
また、実施の形態に係る携帯電話機１００は、磁気センサ７を用いて自機が閉状態であるか否かを検出するものとして説明したが、磁気センサ以外のセンサを用いて検出してもよい。例えば、第２筐体２の主表面に光センサを取り付け、光センサが検出した光の強さが所定の閾値未満である場合には、閉状態を検出するようにしてもよい。
【００６８】
（５）実施の形態では、外部装置は、携帯電話機１００において実行可能な複数のアプリケーションプログラムと、このアプリケーションプログラムの名称、バージョン情報、製作者といった特定情報と、画面更新頻度情報とを対応付けて記憶しているものとして説明した。しかしながら、携帯電話機１００において実行可能な複数のアプリケーションプログラム及び特定情報を対応付けて記憶する第１外部装置と、特定情報及び画面更新頻度情報とを対応づけて記憶する第２外部装置とを設けてもよい。
【００６９】
即ち、実施の形態に係る携帯電話機１００を、通信部１３０を介して、ユーザが所望するアプリケーションプログラム及び特定情報をダウンロードするためのダウンロード要求を第１外部装置に、画面更新頻度の取得要求を第２外部装置に送信するよう変更してもよい。この変形に係る携帯電話機は、ダウンロード要求に応じて第１外部装置から受信した特定情報を画面更新頻度の取得要求に含ませて第２外部装置へ送信する。そして、第２外部装置は、受信したこの取得要求に含まれている特定情報と対応する画面更新頻度を、この変形に係る携帯電話機に送信する。なお、実施の形態で外部装置について説明したのと同様に、第１及び第２外部装置それぞれの物理的な構成には制限はなく、即ち、第１及び第２外部装置それぞれを構成するサーバ等の機器の台数は、１台でも複数台でもよい。また、第１及び第２外部装置それぞれを構成する機器の台数は同一でも異なっていてもよい。
【００７０】
（６）実施の形態に係る携帯電話機１００は、図１（ｃ）に示すように全開状態で、第１ディスプレイ１１０の主表面と第２ディスプレイ１２０の主表面とが略同一平面上に配置されるものとして説明したが、ユーザが、各ディスプレイの画像を見ることができる態様であれば、各ディスプレイが略同一平面上に配置されなくてもよい。例えば、第１筐体１の第１ディスプレイ１１０を含む主表面と、第２筐体２の第２ディスプレイ１２０を含む主表面との間に、ユーザが各ディスプレイの画像を見ることができる程度の角度が生じるように配置されてもよい。
【００７１】
また、実施の形態では、各ディスプレイ（１１０、１２０）の形状は、略矩形状であるとして説明したが、例えば、円形状、その他多角形状であってもよく、また、各ディスプレイの画素数は同一であっても、異なってもよい。
（７）実施の形態に係る携帯電話機１００は、スライド式の携帯電話機であるものとして説明したが、折りたたみ式やストレート型等、他の外観を有してもよい。
【００７２】
（８）実施の形態に係る各タッチパッドは、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００７３】
また、各タッチパッドの検出方式は、静電容量方式に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画像に光センサを組み込んで接触位置を検知する光センサ方式等、適宜なものを用いてもよい。
【００７４】
（９）実施の形態において説明した各構成要素のうち、全部又は一部を１チップ又は複数チップの集積回路で実現してもよいし、コンピュータのプログラムで実現してもよいし、その他どのような形態で実現してもよい。
また、実施の形態において説明した各構成要素は、携帯電話機１００が有するプロセッサと協働することにより、その機能を実現する。
【００７５】
（１０）実施の形態において説明した携帯電話機１００の制御処理（図８、９参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【００７６】
（１１）実施の形態に係る携帯電話機１００に、上記（１）〜（１０）の一部又は全部の変形を組み合わせて適用してもよい。
（１２）以下、更に本発明の一実施形態に係る携帯端末の構成及びその変形例と各効果について説明する。
（ａ）本発明の一実施形態に係る携帯端末は、第１ディスプレイと、前記第１ディスプレイよりリフレッシュレートが低い第２ディスプレイと、複数のコンテンツのうち、コンテンツの表示処理における画面更新頻度が一番高いコンテンツを前記第１ディスプレイに表示させるように、当該複数のコンテンツそれぞれを、当該コンテンツについての前記画面更新頻度に応じて、前記第１及び第２ディスプレイのいずれかに表示させる表示制御処理を行う表示制御部とを備える。
【００７７】
この携帯端末は、表示処理における画面更新頻度が一番高いコンテンツを、よりリフレッシュレートの高い第１ディスプレイに表示させることができるので、画面のちらつきを抑え、ユーザに見易く表示できる。
（ｂ）また、前記携帯端末は、更に、複数のアプリケーションプログラムそれぞれについて、当該アプリケーションプログラムが行うコンテンツの表示処理における画面更新頻度を示す頻度情報を記憶する記憶部を備え、前記複数のコンテンツそれぞれの表示処理における画面更新頻度は、当該コンテンツの表示処理を行うアプリケーションプログラムについての前記頻度情報が示す画面更新頻度であることとしてもよい。
【００７８】
この携帯端末は、複数のアプリケーションプログラムそれぞれについて頻度情報を記憶しておくことで、複数のコンテンツそれぞれの表示先（第１及び第２ディスプレイのいずれか）を、そのコンテンツを表示しようとするアプリケーションプログラムについての頻度情報が示す画面更新頻度に応じて、比較的容易に決定することができる。
（ｃ）また、前記複数のコンテンツは、異なる２つのアプリケーションプログラムの表示処理により表示されることとなる２つのコンテンツであり、前記表示制御部は、前記２つのアプリケーションプログラムのうち、前記頻度情報が示す画面更新頻度がより高いアプリケーションプログラムが行う表示処理により表示されることとなるコンテンツを前記第１ディスプレイに表示させ、前記頻度情報が示す画面更新頻度がより低いアプリケーションプログラムが行う表示処理により表示されることとなるコンテンツを前記第２ディスプレイに表示させるように、前記表示制御処理を行うこととしてもよい。
【００７９】
この携帯端末は、コンテンツの表示処理を行う２つのアプリケーションプログラムが実行されている場合に、記憶している頻度情報が示す画面更新頻度がより高いアプリケーションプログラムが行う表示処理により表示されることとなるコンテンツを前記第１ディスプレイに表示させ、他方のアプリケーションプログラムが行う表示処理により表示されることとなるコンテンツを前記第２ディスプレイに表示させる。従って、この携帯端末は、例えば、動画プレイヤーのように、コンテンツの表示処理における画面更新頻度が比較的高いアプリケーションプログラムが表示しようとするコンテンツを、よりリフレッシュレートの高い第１ディスプレイに表示させることができるので、画面のちらつきを抑え、ユーザに見易く表示できる。
【００８０】
（ｄ）また、前記第１ディスプレイは、ＬＣＤ（Liquid Crystal Display）であり、前記第２ディスプレイは、電気泳動方式の電子ペーパーであることとしてもよい。
この携帯端末は、コンテンツの表示処理における画面更新頻度がより高いアプリケーションプログラムが表示しようとするコンテンツをＬＣＤディスプレイに、コンテンツの表示処理における画面更新頻度がより低いアプリケーションプログラムが表示しようとするコンテンツを電気泳動方式の電子ペーパーディスプレイに表示する。従って、一般的に、画面更新頻度がより高いアプリケーションプログラムが表示しようとするコンテンツのちらつきを抑えてユーザに見易く表示できると共に、省電力を図ることができる。
【００８１】
（ｅ）また、前記携帯端末は、更に加速度センサを備え、前記表示制御部は、前記加速度センサが検出した加速度により特定される自端末の向きと前記複数のコンテンツそれぞれの天地とを合わせるように、前記表示制御処理を行うこととしてもよい。
この携帯端末は、加速度センサが検出した加速度により特定される自端末の向きと複数のコンテンツそれぞれの天地を合わせた表示を行うので、ユーザに見易く表示できる。
【００８２】
（ｆ）また、前記携帯端末は、更に通信部と、アプリケーションプログラムが取得された場合に、取得されたアプリケーションプログラムに付随して取得された当該アプリケーションを特定するための特定情報に基づいて特定される当該アプリケーションプログラムについての前記頻度情報を、外部装置から前記通信部を介して取得し、取得した当該頻度情報を前記記憶部に記憶させる取得部とを備えることとしてもよい。
【００８３】
この携帯端末は、取得されたアプリケーションプログラムの特定情報に基づいて特定される頻度情報を外部装置から取得することができる。従って、予めこの携帯端末に登録されているアプリケーションプログラムに限らず、ユーザがダウンロード等した新たなアプリケーションプログラムが行うコンテンツの表示処理における画面更新頻度に応じて第１及び第２ディスプレイにいずれかにそのコンテンツを表示させることができる。
【産業上の利用可能性】
【００８４】
本発明に係る携帯端末は、複数のディスプレイに複数のコンテンツを表示させて使用する場合に利用される。
【符号の説明】
【００８５】
１    第１筐体
２    第２筐体
３    アーム
４    レシーバ
５    マイク
６    磁石
７    磁気センサ
１００    携帯電話機
１１０    第１ディスプレイ
１１１    ＬＣＤ
１１２、１２２    タッチパッド
１１３、１２３    コントローラ
１２０    第２ディスプレイ
１２１    電子ペーパー
１３０    通信部
１４０    加速度センサ
１５０    記憶部
１６０    制御部
１６１    状態検出部
１６２    向き検出部
１６３    取得部
１６４    アプリケーション実行部
１６５    表示制御部
【図１】
2013205600.tif 000003
【図２】
2013205600.tif 000004
【図３】
2013205600.tif 000005
【図４】
2013205600.tif 000006
【図５】
2013205600.tif 000007
【図６】
2013205600.tif 000008
【図７】
2013205600.tif 000009
【図８】
2013205600.tif 000010
【図９】
2013205600.tif 000011